(57)【要約】【課題】空気袋からなる浮力体に針等が刺さっても救命具が機能するように改良した救命具を提供することである。【解決手段】正面視逆Ｕ字状に成形されたカバ−体１内に膨出可能に収納された空気袋からなる浮力体２、３と浮力体膨張装置が設けられている。カバ−体１は天然素材の布地や、ナイロン、ポリエチレン、塩化ビニ−ル等の合成樹脂の繊維から成る布地で基部１ａと蓋部１ｂが逆Ｕ字状に形成され、基部１ａと蓋部１ｂの逆Ｕ字状の外側の縁ａには雄チャック１０と雌チャック１１が固定され、空気袋からなる浮力体２、３は逆Ｕ字状にナイロン、ポリウレタン、エチレン酢酸ビニ−ル等の合成樹脂材料で気密に形成されて基部１ａの内周縁ｂ側に位置をずらせて重ねて固定されて夫々３層に折り畳んで収納されている。【選択図】        図２
2004243944.tif 000002
【特許請求の範囲】
【請求項１】
正面視逆Ｕ字状に成形されたカバ−体内に膨出可能に収納された空気袋からなる浮力体を複数設けたことを特徴とする救命具。
【請求項２】
前記収納された空気袋からなる複数の浮力体を前記カバ−体内の前後に配置したことを特徴とする請求項１記載の救命具。
【発明の詳細な説明】
【０００１】
【発明の属する技術分野】
本発明は、複数の空気袋かなる浮力体を設けた救命具の改良に関する。
【０００２】
【従来の技術】
【特許文献１】特開平７−２１５２８２号公報
【０００３】
従来空気膨張式の救命具は空気袋が単独の一層式であったが、落水時の不安を除くためにはより一層の浮力が求められている。
【０００４】
【特許文献１】は、作業用上着の内側に空気膨張式の救命具が取り付けられている。
【０００５】
【発明が解決しようとする課題】
解決しようとする課題は、空気袋が単独の一層式であったがより安全に大きな浮力を得ることである。
【０００６】
本発明の目的は前記欠点に鑑み、安全でより大きな浮力を有するように救命具が機能するように改良した救命具を提供することである。
【０００７】
【課題を解決するための手段】
上記課題を解決するために、
請求項１に係わる本発明は、正面視逆Ｕ字状に成形されたカバ−体内に膨出可能に収納された空気袋からなる浮力体を複数設けたことを要旨とするものである。
請求項２に係わる本発明は、前記収納された空気袋かなる複数の浮力体を前記カバ−体内の前後に配置したことを要旨とするものである。
【０００８】
【発明の実施の形態】
本発明によって、折り畳んだ状態で空気袋からなる浮力体２、２′、２″、３、３′、３″がカバ−体１の中で基部１ａの前側に前後に配置されているから、仮に釣針が蓋部１ｂと前側の浮力体に刺さって前側の浮力体の空気抜けがあっても、後側の浮力体があるので浮力が保たれて危険が防止される。
空気袋からなる浮力体が複数あると、大きな浮力を有し安全である。
浮力体膨張装置４、５を左右に設けると荷重バランスが良くなり、浮力体膨張装置が仮に誤作動することがあっても複数の浮力体と浮力体膨張装置で安全性が高まる。
【０００９】
【実施例】
以下、図示の実施例によって本発明を説明すると、図１から図６は第１実施例で、図１は救命具の正面図、図２は図１のＦ２−Ｆ２断面線の拡大断面説明図、図３は救命具の側面図、図４は救命具の浮力体の膨張時の配置平面図、図５は救命具の作動時の断面側面図、図６は釣人が作動時の救命具を装着した側面図である。
【００１０】
救命具は、正面視逆Ｕ字状に成形されたカバ−体１内に膨出可能に収納された空気袋からなる浮力体２、３と浮力体膨張装置４、５が設けられ、カバ−体１の背面に背面ベルト６と胴ベルト７が設けられて胴ベルト７の前側には係合チャック８、９が取り付けられている。
カバ−体１は天然素材の布地や、ナイロン、ポリエチレン、塩化ビニ−ル等の合成樹脂の繊維から成る布地で基部１ａと蓋部１ｂが逆Ｕ字状に形成され、基部１ａと蓋部１ｂの逆Ｕ字状の外側の縁ａにはベルベット式ファスナ−からなる雄チャック１０と雌チャック１１が固定されている。
空気袋からなる浮力体２、３は逆Ｕ字状にナイロン、ポリウレタン、エチレン酢酸ビニ−ル等の合成樹脂材料で気密に形成されている。
【００１１】
空気袋からなる浮力体２、３の内周縁はカバ−体１の基部１ａの内周縁ｂ側に重ねてまたは図２のように位置をずらせて固定されている。
空気袋からなる浮力体２、３はカバ−体１の中では図２のように３層に折り畳んで収納されている。
空気袋からなる浮力体２、３には夫々浮力体膨張装置４、５が適宜位置に固定されて浮力体膨張装置４、５は夫々カバ−体１の左右の下側に配置されている。
浮力体膨張装置４、５は救命具が水の中に落下して浮力体膨張装置４、５の中に水が浸入すると自動的にバルブが開いて空気袋からなる浮力体２、３の中に空気を送り込んで浮力体２、３を膨張させるようになっている。
浮力体膨張装置４、５には水の中に落下した時に自動的にバルブが開かない時には手動で開く図示しない作動部材や釣人が空気を吹き込むパイプ栓が設けられている。
【００１２】
救命具の作動は、救命具が水の中に落下すると、浮力体膨張装置４、５が自動的に作動して空気袋からなる浮力体２、３が膨張する。
浮力体２、３が膨張するとベルベット式ファスナ−からなる雄チャック１０と雌チャック１１が開いてカバ−体１の中から浮力体２、３が飛び出す。
【００１３】
前記のように救命具が構成されると、折り畳んだ状態で空気袋からなる浮力体２、３がカバ−体１の中で基部１ａの前側に前後に配置されているから、仮に釣針が蓋部１ｂと前側の浮力体３に刺さって浮力体３の空気抜けがあっても、後側の浮力体２があるので浮力が保たれて危険が防止される。
空気袋からなる浮力体が複数あると、大きな浮力を有し、浮力を長時間保つことが可能になる。
浮力体膨張装置４、５を左右に設けると荷重バランスが良くなり、浮力体膨張装置が仮に誤作動することがあっても複数の浮力体と浮力体膨張装置で安全性が高まる。
【００１４】
図７は第２実施例で、図７は救命具の浮力体の配置図で（ａ）は膨張時の正面図で（ｂ）は膨張時の底面図で（ｃ）は折り畳み状態の平面図である。
【００１５】
第２実施例では、第１の空気袋からなる浮力体２′の外周の外側に第２の空気袋からなる浮力体３′が連続して一体に固定されている。
浮力体２′、３′には夫々浮力体膨張装置が独立して取り付けられている。
折り畳み状態では、外側の第２の空気袋からなる浮力体３′から巻き込まれるように折り畳まれ、前側に浮力体２′が位置することになる。
他の構成は前記第１実施例と略同一である。
【００１６】
図８は第３実施例で、図８は救命具の浮力体の膨張時の平面図である。
【００１７】
第３実施例では、第１の空気袋からなる浮力体２″の前側に第２の空気袋からなる浮力体３″が連続して一体に固定されている。
浮力体２″、３″には夫々浮力体膨張装置が独立して取り付けられている。
折り畳み状態では、前側の第２の空気袋からなる浮力体３″と後側の浮力体２″が重ねられた外側から巻き込まれるように折り畳まれる。
他の構成は前記第１実施例と略同一である。
【００１８】
【発明の効果】
本発明は、以上説明したような形態で実施され、以下に記載されるような効果を奏する。
【００１９】
本発明により、折り畳んだ状態で空気袋からなる浮力体がカバ−体の中で基部の前側に前後に配置されているから、仮に釣針が蓋部と前側の浮力体に刺さって前側の浮力体の空気抜けがあっても、後側の浮力体があるので浮力が保たれて危険が防止される。
空気袋からなる浮力体が複数あると、大きな浮力を有し安全である。
浮力体膨張装置を左右に設けると荷重バランスが良くなり、浮力体膨張装置が仮に誤作動することがあっても複数の浮力体と浮力体膨張装置で安全性が高まる。
【図面の簡単な説明】
【図１】第１実施例で、救命具の正面図である。
【図２】同図１のＦ２−Ｆ２断面線の拡大断面説明図である。
【図３】同救命具の側面図である。
【図４】同救命具の浮力体の膨張時の配置平面図である。
【図５】同救命具の作動時の断面側面図である。
【図６】同釣人が作動時の救命具を装着した側面図である。
【図７】第２実施例で、救命具の浮力体の配置図で（ａ）は膨張時の正面図で（ｂ）は膨張時の底面図で（ｃ）は折り畳み状態の平面図である。
【図８】第３実施例で、救命具の浮力体の膨張時の平面図である。
【符号の説明】
１  カバ−体
２、２′、２″、３、３′、３″  空気袋からなる浮力体
【図１】
2004243944.tif 000003
【図２】
2004243944.tif 000004
【図３】
2004243944.tif 000005
【図４】
2004243944.tif 000006
【図５】
2004243944.tif 000007
【図６】
2004243944.tif 000008
【図７】
2004243944.tif 000009
【図８】
2004243944.tif 000010